(57)【要約】      （修正有）【課題】  本発明は、オーバーフロー流路を備える取付け用手洗い器であって、特に、轆轤を使用して造形を行った場合であっても、オーバーフロー流路を設けることが可能となる取付け用手洗い器を提供することを目的とする。【解決手段】  一の開口縁１０と、一の開口縁１０から下方に延びる一の側壁１２と、一の側壁１２に連接する一の底壁１４とを備える小容器４と、一の開口縁１０を囲む他の開口縁２０と、他の開口縁２０から下方に延びる他の側壁２２と、他の側壁２２に連接する他の底壁２４とを備える大容器６とを含んで成り、一の底壁１４及び他の底壁２４に、それぞれ排水口１８、２８が形成され、一の側壁１２を、他の側壁２２が囲むように、小容器４と大容器６とが重ねられ、且つ、一の側壁１２と他の側壁２２との間に隙間Ｓが設けられる取付け用手洗い器２である。【選択図】図１（ｃ）
2005342417.tif 000002
【特許請求の範囲】
【請求項１】
一の開口縁と、該一の開口縁から下方に延びる一の側壁と、該一の側壁に連接する一の底壁とを備える小容器と、
前記一の開口縁を囲む他の開口縁と、該他の開口縁から下方に延びる他の側壁と、該他の側壁に連接する他の底壁とを備える大容器と
を含んで成り、
前記一の底壁及び前記他の底壁に、それぞれ排水口が形成され、
前記一の側壁を、前記他の側壁が囲むように、前記小容器と前記大容器とが重ねられ、且つ、前記小容器と前記大容器との間に隙間が設けられることを特徴とする取付け用手洗い器。
【請求項２】
前記一の底壁の下面に高台を備え、該高台を前記他の底壁の上面に載置することにより、前記小容器と前記大容器との間に隙間が設けられることを特徴とする請求項１に記載の取付け用手洗い器。
【請求項３】
前記高台が環状を成し、且つ、該高台の下縁に少なくとも一の切り欠き部が形成されることを特徴とする請求項２に記載の取付け用手洗い器。
【請求項４】
前記他の開口縁の外側、又は前記他の側壁の外周面に、鍔部を備えることを特徴とする請求項１乃至請求項３のいずれかに記載の取付け用手洗い器。
【請求項５】
前記一の側壁の上端縁の少なくとも一部が、前記隙間を覆うように外側方向に延出されることを特徴とする請求項１乃至請求項４のいずれかに記載の取付け用手洗い器。
【請求項６】
前記他の側壁の上端縁の一部が、前記隙間を覆うように内側方向に延出されることを特徴とする請求項１乃至請求項４のいずれかに記載の取付け用手洗い器。
【請求項７】
前記一の側壁にオーバーフロー孔が形成されることを特徴とする請求項１乃至請求項６のいずれかに記載の取付け用手洗い器。
【請求項８】
前記小容器及び／又は前記大容器が、陶磁器製であることを特徴とする請求項１乃至請求項７のいずれかに記載の取付け用手洗い器。
【発明の詳細な説明】
【技術分野】
【０００１】
本発明は、主にカウンターに設けられた開口に、カウンター上面側から挿入して設置される取付け用手洗い器に関する。
【背景技術】
【０００２】
従来の取付け用手洗い器、或いは取付け用洗面器としては、図６（ａ）〜（ｃ）に示すように、碗状の洗面ボウル５２と、洗面ボウル５２の底部に設けられた排水口５４と、洗面ボウル５２の内周壁に設けられたオーバーフロー孔５６と、排水口５４及びオーバーフロー孔５６を連通するオーバーフロー流路５８とにより構成された取付け用手洗い器５０が一般的に使用されている。また、その他の手洗い器、或いは洗面器として、種々の態様のものが多数開示されている（例えば、特許文献１乃至３参照。）。
【０００３】
これらの手洗い器及び洗面器は、その殆どが泥漿鋳込み成形によって造形され、得られた成形体は、その後、乾燥、施釉、焼成の各工程を経て製品が完成する。
【０００４】
一方、陶磁器製の手洗い器等としては、図７に示すように、円形の手洗い鉢６０に排水口６２のみを備えたものがある。この手洗い鉢６０は、轆轤（ろくろ）を使用して造形されるため、造形が比較的容易であると共に、製品のサイズ変更にも容易に対応できる。更に、陶磁器製の手洗い器等は、手洗い鉢６０の質感によって和の雰囲気を強調することができるため、トイレや洗面所といった空間を和風に演出する際には、好適に用いられている。
【０００５】
【特許文献１】特開２００１−１０４１７９号公報（図１）
【特許文献２】特開平１１−２１９６１号公報（図１（ｂ））
【特許文献３】特開平５−２８５９２３号公報（図４）
【発明の開示】
【発明が解決しようとする課題】
【０００６】
しかし、陶磁器製の手洗い器等は轆轤を使用して造形されるため、手洗い鉢６０には、取付け用手洗い器５０が備えるオーバーフロー流路５８を設けることができず、手洗い鉢６０に水を溜める際には、オーバーフローすることがないように注意しなければならない。
【０００７】
一方、泥漿鋳込み成形によって造形された手洗い器５０は、オーバーフロー流路５８が洗面ボウル５２と一体に造形されるため、オーバーフロー流路５８が密閉された状態となり、オーバーフロー流路５８内の清掃は、実質的に不可能な状態である。また、オーバーフロー流路５８を一体に造形するためには複雑な形状の鋳込み型の製造が必要となり、製造コストがかかる。
【０００８】
更に、泥漿鋳込み成形による造形は、同一形状、同一サイズのものを大量生産する上では好ましいが、形状及びサイズを変更する際には鋳込み型から作り直す必要があり、変更への対応に時間がかかると共に、製造コストもかかる。
【０００９】
そこで本発明は、オーバーフロー流路を備える取付け用手洗い器であって、特に、轆轤を使用して造形を行った場合であっても、オーバーフロー流路を設けることが可能となる取付け用手洗い器を提供することを目的とする。
【課題を解決するための手段】
【００１０】
即ち、本発明の要旨とするところは、一の開口縁と、該一の開口縁から下方に延びる一の側壁と、該一の側壁に連接する一の底壁とを備える小容器と、
前記一の開口縁を囲む他の開口縁と、該他の開口縁から下方に延びる他の側壁と、該他の側壁に連接する他の底壁とを備える大容器とを含んで成り、
前記一の底壁及び前記他の底壁に、それぞれ排水口が形成され、
前記一の側壁を、前記他の側壁が囲むように、前記小容器と前記大容器とが重ねられ、且つ、前記一の側壁と前記他の側壁との間に隙間が設けられる取付け用手洗い器であることにある。
【００１１】
ここで、「取付け用手洗い器」とは、主に、カウンターやキャビネット等の上面に設けられた開口に、カウンター等の上面側から挿入して載置される手洗い器を意味するが、本発明は当該名称の意味する用途に限定されるものではなく、洗面器、洗髪用流し、掃除用流し、流し台用流し等としての使用も可能である。
【００１２】
かかる取付け用手洗い器において、前記一の底壁の下面に高台を備え、該高台を前記他の底壁の上面に載置することにより、前記小容器と前記大容器との間に隙間が設けられることにある。
【００１３】
かかる取付け用手洗い器において、前記高台が環状を成し、且つ、該高台の下縁に少なくとも一の切り欠き部が形成されることを特徴とする請求項２に記載の取付け用手洗い器。
【００１４】
かかる取付け用手洗い器において、前記他の開口縁の外側、又は前記他の側壁の外周面には、鍔部を備え得る。
【００１５】
かかる取付け用手洗い器において、前記一の側壁の上端縁の少なくとも一部が、前記隙間を覆うように外側方向に延出され得る。
【００１６】
或いは、かかる取付け用手洗い器において、前記他の側壁の上端縁の一部が、前記隙間を覆うように内側方向に延出され得る。
【００１７】
更に、かかる取付け用手洗い器において、前記一の側壁にはオーバーフロー孔が形成され得る。
【００１８】
また、かかる取付け用手洗い器において、前記小容器及び／又は前記大容器は陶磁器製であり得る。
【発明の効果】
【００１９】
本発明の取付け用手洗い器は、小容器が備える側壁を、大容器が備える側壁が囲むように、小容器と大容器とを重ね、且つ小容器と大容器との間には隙間を設けるように構成することにより、該隙間がオーバーフロー流路として機能するため、小容器内に水を溜めた場合であっても、取付け用手洗い器の外部へ水がオーバーフローすることがない。
【００２０】
特に、小容器が備える一の底壁の下面に高台を設けることによって、前記隙間の形成を容易に行うことができ、オーバーフロー流路を容易に形成することができる。
【００２１】
また、本発明の取付け用手洗い器に係る大容器と小容器は、着脱自在に重ねられているため、オーバーフロー流路として機能する隙間の清掃を容易に行うことができ、非常に衛生的な取付け用手洗い器を提供することができる。
【００２２】
更に、大容器が備える他の開口縁の外側、又は他の側壁の外周面に鍔部を設けることによって、本発明をカウンター等の上面に設けた開口へ挿入して設置する際、開口の周縁部に該鍔部を載置するのみで容易に設置することができる。
【００２３】
また更に、一の側壁の上端縁を外側方向に延出させるか、或いは他の側壁の上端縁を内側方向に延出させることによって、前記隙間を上方から覆うことができ、該隙間への物の落下を容易に防止できる。
【００２４】
また、一の側壁にオーバーフロー孔を設けることによって、一の開口縁からオーバーフローすることを防止できると共に、小容器内における貯水量を任意に設定することもできる。
【００２５】
更に、本発明の取付け用手洗い器に係る小容器及び／又は大容器を陶磁器製とすることにより、陶磁器独特の質感によって和の雰囲気を強調することができ、トイレや洗面所といった空間を和風に演出する際、非常に好適に用いることができる。
【発明を実施するための最良の形態】
【００２６】
以下、本発明の態様を図面に基づいて説明するが、本発明の態様は以下に示したものに限定されない。なお、本明細書において、各図にわたって記される同じ符号は、同一又は同様の部材やものを示す。
【００２７】
図１（ａ）〜図１（ｅ）に、本発明の取付け用手洗い器の一態様を示す。取付け用手洗い器２は、主に小容器４と大容器６とを含んで成る。小容器４は、一の開口縁１０と、開口縁１０から下方に延びる一の側壁１２と、側壁１２に連接する一の底壁１４とを備える。一方、大容器６は、他の開口縁２０と、開口縁２０から下方に延びる他の側壁２２と、側壁２２に連接する他の底壁２４とを備える。そして、小容器４は、大容器６の開口縁２０の上方から大容器６の内部へと挿入され、側壁２２が側壁１２を囲むような状態で重ねられる。更にこの時、小容器４と大容器６との間には隙間Ｓが設けられる。つまり、取付け用手洗い器２は、側壁及び底壁が、隙間Ｓを備える二重構造となっており、この隙間Ｓがオーバーフロー流路として機能することとなる。
【００２８】
ここで、小容器４と大容器６との間に隙間Ｓを設ける手段は特に限定されないが、簡単、且つ確実に隙間Ｓを設ける手段としては、小容器４が備える底壁１４の下面に、予め高台１６を形成しておく方法がある。高台とは、通常、茶碗等の底に設けられる脚部のことであるが、底壁１４の下面に高台１６を形成しておくことによって、小容器４を大容器６の内部に挿入して載置する際、小容器４が高台１６を介して大容器６の底壁２４の上面に載置されることとなる。つまり、小容器４と大容器６との間には、高台１６の高さ分だけ隙間Ｓが形成され、オーバーフロー流路として機能する隙間Ｓを容易に確保することができる。
【００２９】
その他の手段としては、例えば、小容器４が備える側壁１２の外周面、或いは大容器６が備える側壁２２の内周面や底壁２４の上面に、複数の突起部を予め設けておく方法であってもよい。大容器６の内部に小容器４を挿入した際には、これらの突起部によって小容器４が大容器６の内部で浮いた状態となり、小容器４と大容器６との間には、突起部の高さ分だけ隙間Ｓが形成されることとなる。また更に、小容器４を大容器６の内部に挿入する際に、大容器６の底壁２４の上面に別体のスペーサーを予め載置しておき、このスペーサーを介して小容器４を載置することによっても、小容器４と大容器６との間に隙間Ｓを形成することができる。
【００３０】
一方、底壁１４、２４には、それぞれの中央部に排水口１８及び排水口２８が形成されている。なお、排水口１８、２８には排水器具（不図示）が装着されることとなるが、排水器具は特に限定されるものではない。つまり、排水口１８、２８には公知のあらゆる排水器具が装着可能であるが、例えば、特開平１０−３０２６３号公報に開示されている排水器具（図１乃至図３参照。）等は、本発明において特に好適に装着され得る。
【００３１】
以上の構成から成る取付け用手洗い器２は、例えば、カウンターの上面に設けられた開口に、カウンター上面側から挿入されて設置され、小容器４は手洗い鉢として機能する。ここで、カウンター等に設けられた開口に取付け用手洗い器２を設置するに際して、図１（ａ）、（ｂ）等にも示すように、大容器６の開口縁２０の外側、或いは側壁２２の外周面に、環状に形成された鍔部３０を備えることによって、カウンター等に設けられた開口への設置を容易、且つ確実に行うことができる点で好ましい。具体的には、カウンター等に設けられた開口に取付け用手洗い器２を挿入し、鍔部３０の下面を開口周縁に載置するのみで設置が可能となる。仮に鍔部３０が無かったとしても、碗状の大容器６であれば、開口縁２０より小さい径の開口には、側壁２２の外周面によって取付け用手洗い器２を設置することは可能である。しかし、鍔部３０を開口周縁に載置して取付け用手洗い器２を設置した方が、より確実に設置することができ、取付け用手洗い器２の安定感を増すこともできる。
【００３２】
なお、鍔部３０は、大容器６の開口縁２０の外側、或いは側壁２２の外周面に少なくとも一つ備えていればよいが、例えば、図２に示すように、側壁２２の外周面に複数の鍔部３０が形成されてもよい。このように予め複数の鍔部３０を設けておくことによって、カウンター等に設けられた開口のサイズに合わせて、最適な鍔部３０を開口周縁に載置することができ、取付け用手洗い器２の汎用性が増す。また、カウンター等の上方に露出した側壁２２の外周面に形成されている鍔部３０は、取付け用手洗い器２の確実な設置という観点では何ら機能しないが、取付け用手洗い器２の側面における装飾効果を発揮し、デザイン性が向上される。
【００３３】
また、取付け用手洗い器２は、排水口１８に装着された排水器具（不図示）が備える止水栓（不図示）によって、小容器４内に貯水することも可能である。更に、小容器４内に貯水する場合において、仮に小容器４から水がオーバーフローしたとしても、このオーバーフローした水は、小容器４と大容器６との間に設けられた隙間Ｓに流れ込んで、大容器６の底壁２４に設けられた排水口２８へと導かれ、排水口２８を介して排水されることとなる。つまり、取付け用手洗い器２の周辺をオーバーフローした水で汚すことがなく、また、小容器４内に貯水する場合に、オーバーフローしないように特段の注意を要することもない。
【００３４】
なお、上述した態様において、小容器４と大容器６との間に設けられた隙間Ｓと、大容器６に設けられた排水口２８とは、オーバーフローした水を排水できるように導通されている必要がある。複数の突起部を設置したり、別体のスペーサーを載置したりして隙間Ｓを設ける態様においては、隙間Ｓと排水口２８とは導通されているため、水の排水流路を確保することができる。しかし、小容器４の底壁１４の下面に高台１６を形成することによって隙間Ｓを設ける態様においては、高台１６が通常は環状を成しているため、排水流路を確保することができない。そこで、高台１６が環状を成している場合には、高台１６の下縁１６ａに少なくとも一の切り欠き部３２を形成することによって、隙間Ｓと排水口２８とが導通され、排水流路が確保されることとなる。
【００３５】
更に、取付け用手洗い器２は、小容器４と大容器６が着脱自在に重ねられて構成されているため、小容器４を取り外すことによってオーバーフロー流路として機能する隙間Ｓの清掃を容易に行うことができ、非常に衛生的である。
【００３６】
以上、本発明の一態様である取付け用手洗い器２について詳述したが、本発明の態様は上述のものに限定されない。例えば、図３（ａ）〜図３（ｄ）に示すように、大容器６に小容器４が挿入された際、小容器４の側壁１２の上端縁１２ａが大容器６の開口縁２０の外側に位置することとなるように、上端縁１２ａを外側方向へ延出させた小容器４を備える取付け用手洗い器２ａのような態様であってもよい。側壁１２の上端縁１２ａを外側方向へ延出させて、大容器６の開口縁２０の外側に位置させることによって、小容器４と大容器６との間に形成された隙間Ｓの上方を覆うことができる。取付け用手洗い器２の態様では、隙間Ｓの上方が開口しており、取付け用手洗い器２の使用者が誤って隙間Ｓに物を落とし込む恐れがあるが、取付け用手洗い器２ａの態様では、隙間Ｓの上方が覆われているため物を落とし込むことがない。
【００３７】
但し、取付け用手洗い器２ａの態様では、小容器４の側壁１２にオーバーフロー孔３４を設けておく必要がある。上端縁１２ａが隙間Ｓを覆って、大容器６の開口縁２０の外側に位置しているため、小容器４内に貯水した水がオーバーフローした場合には、隙間Ｓに流れ込むことなく、取付け用手洗い器２ａの外側へ流出してしまう。そこで、側壁１２にオーバーフロー孔３４を設けることにより、小容器４内に貯水された水はオーバーフロー孔３４を介して隙間Ｓへと流れ込むことが可能となり、小容器４からオーバーフローすることを防止できる。なお、オーバーフロー孔３４の形状、設置数、設置場所等は特に限定されず、任意に設定することが可能である。
【００３８】
また、必ずしも側壁１２の上端縁１２ａの全部が外側方向に延出されている必要はなく、例えば、図４（ａ）、（ｂ）に示すように、上端縁１２ａの少なくとも一部が外側方向に延出されている取付け用手洗い器２ｂのような態様であってもよい。使用者は、隙間Ｓの覆われている部分を手前にして取付け用手洗い器２ｂを使用することにより、誤って隙間Ｓに物を落下する恐れがない。更に、取付け用手洗い器２ｂの材質や装飾によって大容器６の側壁２２表面には模様が現れるが、取付け用手洗い器２ｂの態様では、側壁２２の外周面のみだけでなく、隙間Ｓを介して側壁２２の内周面も視認することができ、美的効果も高まる。なお、取付け用手洗い器２ｂの態様では、小容器４からオーバーフローした水は、上端縁１２ａが外側方向に延出していない部分から隙間Ｓへと流出可能なため、必ずしもオーバーフロー孔３４を設けなくともよい。
【００３９】
本発明の他の態様としては、図５（ａ）、（ｂ）に示すように、大容器６の側壁２４の上端縁２４ａの一部が、隙間Ｓを覆うように内側方向に延出された取付け用手洗い器２ｃのような態様であってもよい。上端縁２４ａの一部が、隙間Ｓを覆うように内側方向に延出されて、大容器６内に挿入された小容器４の開口縁１０の内側に位置する構成とすることにより、隙間Ｓが覆われた部分を手前にして取付け用手洗い器２ｃを使用する際、使用者が誤って隙間Ｓに物を落下する恐れがない。また、上端縁２４ａが内側方向に延出されている部分以外は隙間Ｓの上方が開口されているため、隙間Ｓを介して大容器６の内周面にも現れる模様を視認することができ、美的効果も高まる。
【００４０】
なお、本発明の取付け用手洗い器は、大容器６内に小容器４が挿入されて構成されるため、内側方向に延出される部分は、大容器６の開口縁２０の少なくとも二分の一以下としておくことが好ましい。大容器６の上端縁２４ａにおいて、内側方向に延出される部分が二分の一以下であれば、小容器４を大容器６に対して斜め上方から滑り込ませることにより、小容器４の上端縁１２ａの一部を、内側方向に延出された大容器６の上端縁２４ａの下側に位置させることができ、隙間Ｓが覆われた部分を形成することができるからである。
【００４１】
以上、本発明の取付け用手洗い器の種々の態様について説明したが、本発明はその趣旨を逸脱しない範囲で、当業者の知識に基づき種々の改良、修正、変形を加えた態様で実施し得るものである。例えば、各図に示した取付け用手洗い器は、何れも横断面形状が円形であり、これは轆轤による造形に起因するものであるが、本発明は円形に限定されるものではなく、横断面形状は楕円形、矩形、正方形等、何れであってもよい。
【００４２】
また、本発明の取付け用手洗い器に係る小容器や大容器の材質も特に限定されず、金属製、樹脂製等、何れであってもよいが、陶磁器製であることが、轆轤による造形の容易性、陶磁器独特の質感による和の雰囲気の演出効果等の点で好ましい。
【００４３】
更に、本発明の取付け用手洗い器の造形方法は、轆轤によるものに限定されず、従来の泥漿鋳込み成形によるものであってもよい。特に本発明では、小容器及び大容器の鋳込み型を製造するのみで、容易にオーバーフロー流路を備えた取付け用手洗い器を製造することができ、従来のような複雑な鋳込み型を製造する必要がなく、製造コストを抑えることができる。
【００４４】
また更に、上述した取付け用手洗い器２、２ｂ、２ｃ等の態様においても、貯水量を予め設定しておくために、小容器４の側壁１２にオーバーフロー孔３４が設けられてもよく、これらの態様はいずれも本発明の範囲に属するものである。
【図面の簡単な説明】
【００４５】
【図１（ａ）】本発明の取付け用手洗い器の一態様を示す斜視図である。
【図１（ｂ）】図１（ａ）に示す取付け用手洗い器の側面図である。
【図１（ｃ）】図１（ｂ）に示す取付け用手洗い器の縦方向断面図である。
【図１（ｄ）】図１（ａ）に示す取付け用手洗い器の平面図である。
【図１（ｅ）】図１（ａ）に示す取付け用手洗い器の底面図である。
【図２】本発明に係る大容器の他態様を示す側面図である。
【図３（ａ）】本発明の取付け用手洗い器の他態様を示す側面図である。
【図３（ｂ）】図３（ａ）に示す取付け用手洗い器の縦方向断面図である。
【図３（ｃ）】図３（ａ）に示す取付け用手洗い器の平面図である。
【図３（ｄ）】図３（ａ）に示す取付け用手洗い器の底面図である。
【図４】（ａ）は、本発明の取付け用手洗い器のまた別の態様を示す側面図であり、（ｂ）は、（ａ）に示す取付け用手洗い器の縦方向断面図である。
【図５】（ａ）は、本発明の取付け用手洗い器の更に別の態様を示す側面図であり、（ｂ）は、（ａ）に示す取付け用手洗い器の縦方向断面図である。
【図６】（ａ）は、従来の取付け用手洗い器を示す斜視図、（ｂ）は、（ａ）に示す取付け用手洗い器の側面図、（ｃ）は、（ｂ）の縦方向断面図である。
【図７】従来の手洗い鉢を示す斜視図である。
【符号の説明】
【００４６】
２、２ａ、２ｂ、２ｃ：取付け用手洗い器
４：小容器
６：大容器
１０：一の開口縁
１２：一の側壁
１２ａ：一の側壁の上端縁
１４：一の底壁
１６：高台
１８、２８：排水口
２０：他の開口縁
２２：他の側壁
２２ａ：他の側壁の上端縁
２４：他の底壁
３０：鍔部
３２：切り欠き部
３４：オーバーフロー孔
Ｓ：隙間
【図１（ａ）】
2005342417.tif 000003
【図１（ｂ）】
2005342417.tif 000004
【図１（ｃ）】
2005342417.tif 000005
【図１（ｄ）】
2005342417.tif 000006
【図１（ｅ）】
2005342417.tif 000007
【図２】
2005342417.tif 000008
【図３（ａ）】
2005342417.tif 000009
【図３（ｂ）】
2005342417.tif 000010
【図３（ｃ）】
2005342417.tif 000011
【図３（ｄ）】
2005342417.tif 000012
【図４】
2005342417.tif 000013
【図５】
2005342417.tif 000014
【図６】
2005342417.tif 000015
【図７】
2005342417.tif 000016